(57)【要約】      （修正有）【課題】建物の構造を変更せずに、建物のセキュリテイを確保できるセキュリテイ装置付建物を提供する。【解決手段】建物１の外側に設置されて前記建物１の外側に共用空間（廊下２，エントランス５Ａ）を形成する侵入防止囲い（８等、又は５ａ，５０，８等から構成される）を備え、侵入防止囲いは建物との間にエントランス５Ａを形成するセキュリテイゲートユニットを有し、また、セキュリテイゲートユニットは、枠構造体に並設された電子錠付きのゲート扉１６および門袖パネル１５と、電子錠の解錠操作をさせる開閉指令器を有する。【選択図】図１１
2014163171.tif 000002
【特許請求の範囲】
【請求項１】
建物の外側に設置されて前記建物の外側に共用空間を形成する侵入防止囲いを備え、前記侵入防止囲いは前記建物との間にエントランスを形成するセキュリテイゲートユニットを有すると共に、前記セキュリテイゲートユニットは、枠構造体に並設された電子錠付きのゲート扉および門袖パネルと、前記電子錠の解錠操作をさせる開閉指令器を有することを特徴とするセキュリテイ装置付建物。
【請求項２】
前記枠構造体は下端が開放し且つ間隔をおいて設けられた複数の縦枠および前記複数の縦枠の上端部を結合する上枠を備えると共に、前記縦枠の下方に位置させてゲート支持基礎を前記建物の敷地に埋設し、下端部が前記ゲート支持基礎に一体に設けられた支柱を前記敷地上に突出させ、該支柱の前記支柱からの突出部分を前記縦枠内に嵌着固定することにより、前記セキュリテイゲートユニットを前記建物の外側に設置したことを特徴とする請求項１に記載のセキュリテイ装置付建物。
【請求項３】
前記セキュリテイゲートユニットは、玄関庇の下部に設けることを特徴とする請求項１又は２に記載のセキュリテイ装置付建物。
【請求項４】
前記玄関庇の両側部には庇支持壁が袖壁としてそれぞれ設けられていると共に、前記セキュリテイゲートユニットは前記両庇支持壁の前記建物側の端部間を塞ぐように配置することを特徴とする請求項３に記載のセキュリテイ装置付建物。
【請求項５】
前記セキュリテイゲートユニットと前記玄関庇との間には、採光隙間が設けられていることを特徴とする請求項２〜４のいずれか一つに記載のセキュリテイ装置付建物。
【請求項６】
前記セキュリテイゲートユニットは前記建物の外壁面と間隔をおいて平行に設けられていると共に、前記侵入防止囲いの前記エントランス側に用いる格子ユニットが前記セキュリテイゲートユニットと建物との間を塞ぐように設けたことを特徴とする請求項１〜５のいずれか一つに記載のセキュリテイ装置付建物。
【請求項７】
前記格子ユニットと前記玄関庇との間には採光隙間が設けられていることを特徴とする請求項６に記載のセキュリテイ装置付建物。
【請求項８】
前記建物と前記侵入防止囲いとの間には前記建物の複数の住戸の玄関ドアに臨み且つ前記エントランスに連なる廊下が前記共用空間として設けられていることを特徴とする請求項１〜７のいずれか一つに記載のセキュリテイ装置付建物。
【請求項９】
前記侵入防止囲いの前記廊下側に用いる格子ユニットが前記廊下の外側縁に沿って設けられていることを特徴とする請求項８に記載のセキュリテイ装置付建物。
【請求項１０】
前記廊下の上には庇が設けられ、前記廊下の庇と格子ユニットとの間には採光隙間が設けられていることを特徴とする請求項９に記載のセキュリテイ装置付建物。
【発明の詳細な説明】
【技術分野】
【０００１】
この発明は、電子錠が設けられたゲートを有するセキュリテイ装置付建物に関するものである。
【背景技術】
【０００２】
従来、集合住宅には、敷地を縦格子のフェンスで囲むようにして、各住戸に連なる廊下や敷地内を外部から視認しやすくすることにより、不審者が入りにくくした防犯構造が知られている（例えば、特許文献１参照）。
【０００３】
このようなフェンスを設けただけの建物では、各住戸への廊下を外部から視認しやすくして防犯を図るものであり、廊下には自由に出入りできるため、十分なセキュリテイを確保することができないものであった。
【０００４】
また、集合住宅等の建物には、集合住宅のセキュリテイを確保するために、集合玄関のエントランスにオートドアを設け、このオードドアの開閉駆動を可能にさせるキースイッチを設けたセキュリテイシステムが知られている（例えば、特許文献２参照）。このようなキースイッチが設けられるオートドアは、通常、共用の集合玄関が設けられているマンション等の建物に適用されている。
【先行技術文献】
【特許文献】
【０００５】
【特許文献１】特開２０１０−３１４８８号公報
【０００６】
【特許文献２】特開２０００−２６９６６５号公報
【発明の概要】
【発明が解決しようとする課題】
【０００７】
しかしながら、このセキュリテイシステムは共用玄関のある集合住宅に適用されるものである。このため、共用玄関のない集合住宅の場合には、各住戸の玄関のドアにキースイッチを個別に設ける必要がある。
【０００８】
また、一般の建物としては、外部から直接出入りするドアを複数設けている住宅も普通である。この建物でも、セキュリテイを確保するためには、各ドアにキースイッチを設ける必要がある。このドアにキースイッチを設ける場合、キースイッチへの電源配線を行う必要がある。しかも、この電源配線を行う場合には、電源配線が見栄えを損なわないようにするため、ドアが設けられる入り口の壁内に電源を配線する必要がある。
【０００９】
しかしながら、既設の建物にキースイッチのための電源配線を行うには、壁等の一部又は全部を剥がして配線する必要があるので、建物の構造を一部変更する必要があった。
【００１０】
そこで、この発明は、建物の構造を変更せずに、建物のセキュリテイを確保できるセキュリテイ装置付建物を提供することを目的とするものである。
【課題を解決するための手段】
【００１１】
この目的を達成するため、この発明は、建物の外側に設置されて前記建物の外側に共用空間を形成する侵入防止囲いを備え、前記侵入防止囲いは前記建物との間にエントランスを形成するセキュリテイゲートユニットを有すると共に、前記セキュリテイゲートユニットは、枠構造体に並設された電子錠付きのゲート扉および門袖パネルと、前記電子錠の解錠操作をさせる開閉指令器を有することを特徴とする。
【発明の効果】
【００１２】
この構成によれば、建物の構造を変更せずに、建物のセキュリテイを確保できる。
【図面の簡単な説明】
【００１３】
【図１】（ａ）は玄関ポーチの部分にセキュリテイゲートが配置された実施例１のセキュリテイ装置付建物を斜め正面から見た外観図、（ｂ）は（ａ）のセキュリテイゲートとの右側の採光隙間の概略説明図である。
【図２】図１（ａ）のセキュリテイ装置付建物の左側面図である。
【図３】図１（ａ）のセキュリテイゲートユニットと建物との位置関係を示す概略配置図である。
【図４】図１（ａ）のセキュリテイゲートユニットと建物との配置間隔を示した配置図である。
【図５】図１（ａ）のセキュリテイゲートユニットの正面図である。
【図６】(ａ)は図５のＢ１−Ｂ１線に沿う断面図、(ｂ)は図５のＢ２−Ｂ２線に沿う断面図である。
【図７】（ａ）は図５の第１の縦枠とこの第１の縦枠を支持する支柱との関係を示す水平断面図、（ｂ）は（ａ）のＡ１−Ａ１線に沿う断面図である。
【図８】（ａ）は図５の第２の縦枠とこの第２の縦枠を支持する支柱との関係を示す水平断面図、（ｂ）は（ａ）のＡ２−Ａ２線に沿う断面図である。
【図９】（ａ）は図５の第３の縦枠とこの第３の縦枠を支持する支柱との関係を示す水平断面図、（ｂ）は（ａ）のＡ３−Ａ３線に沿う断面図である。
【図１０】（ａ）は図２の侵入防止囲い部材の正面図、（ｂ）は（ａ）の右側面図、（ｃ）は（ａ）の平面図である。
【図１１】この発明に係るセキュリテイ装置付建物の実施例２を示す説明図である。
【図１２】この発明に係るセキュリテイ装置付建物の実施例３を示す外観図である。
【図１３】図１２のセキュリテイゲートの正面図である。
【図１４】図１２のセキュリテイゲートの平面図である。
【発明を実施するための形態】
【００１４】
以下、この発明の実施の形態を図面に基づいて説明する。
［実施例１］
【００１５】
図１（ａ），図１（ｂ），図２において、１は外部への出入口が複数設けられた建物である。この建物１としては、新設又は既存の集合住宅のいずれであっても良いし、集合住宅でなくても一般の住宅であっても良い。また、建物１としては、必ずしも住宅でなくてもよい。
【００１６】
本実施例では、建物１として集合住宅に適用した例を示している。この建物１は、二階建であり、例えば図３に示したように一階には複数の住戸Ａ，Ｂ，Ｃが設けられ、二階にも複数の住戸（図示せず）が設けられている。Ｄａ，Ｄｂ，Ｄｃは住戸Ａ，Ｂ，Ｃの玄関ドアで、建物１の妻側に設けられている。この玄関ドアＤａ，Ｄｂ，Ｄｃ側には共用の廊下２が設けられている。
【００１７】
この建物１の周囲には、図３に示したように侵入防止囲い１Ｅがセキュリティ装置として設けられている。この侵入防止囲い１Ｅは、図１（ａ）に示したセキュリテイゲート３を有する。このセキュリテイゲート３は、建物１の妻側に設けた玄関ポーチ４と、ゲートユニット（セキュリテイゲートユニット）５を有する。このゲートユニット５との間には図３，図４に示した共用空間としてのエントランス５Ａが形成されている。
【００１８】
また、侵入防止囲い１Ｅは、図３に示したゲートユニット５と共に用いられる複数の侵入防止囲い部材６，７，８，８′を有する。上述した廊下２は、この侵入防止囲い部材８と建物１の桁側との間に共用空間を形成する通路として形成されている。
【００１９】
＜玄関ポーチ４＞
この玄関ポーチ４は、図１（ａ）に示したように建物１の妻側外壁面１ａに基端が取り付けられたポーチ庇９と、このポーチ庇９の下方に設けられたポーチ基礎９ａを有する。このポーチ基礎９ａは、図６、図7に示すように鉄筋入りのコンクリート層９ａ１の表面にモルタル層９ａ２を薄く設けた構成としている。また、玄関ポーチ４は、図１（ａ）に示したようにポーチ庇９の軒先端部の両側を、ポーチ基礎９ａ上に支える庇支持壁１０，１０を有する。
【００２０】
この庇支持壁（袖壁）１０は、図４に示したように、ポーチ基礎９ａの側縁に沿って配設された端部支柱（先端側支柱）１０ａおよび中間支柱（建物側支柱）１０ｂを有する。この端部支柱１０ａはポーチ基礎９ａの先端部近傍に配置され、中間支柱１０ｂは端部支柱１０ａより建物１側に配置されている。また、庇支持壁１０は、端部支柱１０ａと中間支柱１０ｂと間の側方を覆う外側壁パネル１０ｃおよび内側壁パネル１０ｄを有する。
【００２１】
また、庇支持壁１０は、外側壁パネル１０ｃ，内側壁パネル１０ｄの端部支柱１０ａ側の端部間に設けられた先端側端壁１０ｅと、外側壁パネル１０ｃ，内側壁パネル１０ｄの中間支柱１０ｂ側の端部間に設けられた中間側端壁１０ｆを有する。
【００２２】
上述したゲートユニット５は、この庇支持壁１０，１０の建物１側の縁部間を塞ぐように設けられている。
【００２３】
（ゲートユニット５）
このゲートユニット５は、図５，図６に示した枠構造体５Ｆを有する。この枠構造体５Ｆは、両側の第１，第２の縦枠１１，１２と、第１，第２の縦枠１１，１２間の中央に設けられた第３の縦枠（中間縦枠）１３と、第１，第２の縦枠１１，１２の上端部間に架設された上枠（上横枠）１４を有する。この上枠１４は両端が第１，第２の縦枠１１，１２の上端部の側面に固定され、第３の縦枠１３の上端は上枠１４の下面に固定されている。
【００２４】
また、ゲートユニット５は、第１，第３の縦枠１１，１３間に設けられた門袖パネル１５を有する。この門袖パネル１５は、両側部が第１，第３の縦枠１１，１３に固定され且つ上端が上枠１４の下面に固定されていて、第１，第３の縦枠１１，１３間を塞いでいる。
【００２５】
更に、ゲートユニット５は、第２，第３の縦枠１２，１３を開閉するゲート扉１６を有する。このゲート扉１６は、一側部がヒンジ１７，１７を介して第２の縦枠１２に開閉可能に取り付けられている。このゲート扉１６の他側部には、開閉操作用の取手１８と、取手１８より上側に配置した電子錠１９が取り付けられている。
【００２６】
このゲート扉１６の上部内には、一端部２０ａが電子錠１９の上部近傍に配置され、且つ、他端部２０ｂが上側のヒンジ１７より少し下側に配置された逆Ｕ字状の保護パイプ２０が取り付けられている。また、ゲート扉１６の他端部２０ｂ近傍の部分と第２の縦枠１２との間には、通電用のスイーベルジョイント又はロータリージョイントとして知られているヒンジタイプの通電金具２１が介装されている。
【００２７】
この通電金具２１と電子錠１９は保護パイプ２０内に挿通した通電線（配線）２２を介して電気接続されている。また、第２の縦枠１２の上部には通電金具２１に電気接続された変換コネクタ２３が配設されている。この変換コネクタ２３に接続されたコネクタ２４には、制御用ケーブル２５の一端が接続されている。
【００２８】
一方、門袖パネル１５には、中央より上方に電子錠１９の解錠操作をさせる開閉指令器２６が取り付けられていると共に、中央より下方に郵便受ユニット２７が取り付けられている。この開閉指令器２６は、インターフォン用のボタン２６ａ及びスピーカ２６ｂと、電子錠開閉操作用の数値入力部２６ｃを有する。この開閉指令器２６には制御用ケーブル２８の一端が接続されている。
【００２９】
また、郵便受ユニット２７は、建物１の複数の住戸Ａ，Ｂ，Ｃ・・・に対応する数の郵便受Ｐ１，Ｐ２，・・・Ｐｉ，・・・Ｐｎが設けられている。
【００３０】
上述した第１〜第３の縦枠１１〜１３は、角筒状の中空部材から形成されていて、下端が開放している。尚、第１，第２の縦枠１１，１２の上端は図示しない端壁で閉成されている。
【００３１】
このようなゲートユニット５の第１〜第３の縦枠１１〜１３，上枠１４，門袖パネル１５，ゲート扉１６等の各部品を分離した状態で設置現場に搬送し、第１〜第３の縦枠１１〜１３，上枠１４，門袖パネル１５，ゲート扉１６等の各部品を設置現場で組み付けることにより、ゲートユニット５を構成することができる。
また、ゲートユニット５の第１〜第３の縦枠１１〜１３と上枠（上横枠）１４からなる枠構造体のみを工場等で予め組み付けておいて、この枠構造体に門袖パネル１５やゲート扉１６を設置場所で組み付けることで、ゲートユニット５を形成することもできる。更に、ゲートユニット５は、第１〜第３の縦枠１１〜１３，上枠１４，門袖パネル１５，ゲート扉１６等の各部品を工場等で予め組み付けておくこともできる。この場合、ゲートユニット５の部品組付や配線等を設置場所で行う必要がないので、設置現場でのゲートユニット５の設置作業工数を少なくできる。
【００３２】
（ゲートユニット５の支持構造）
このゲートユニット５の第１〜第３の縦枠１１〜１３の下方には、図５に示したように、コンクリート製のゲート支持基礎２９が地中３０にそれぞれ埋設されている。このゲート支持基礎２９は、図６(ａ)，図６(ｂ)に示したように、フーチング部２９ａ及びこのフーチング部２９ａ上に一体に形成した起立部２９ｂを有する（図６参照）。
この地中３０上には砕石層３０ａが設けられ、この砕石層３０ａ上に上述したポーチ基礎９ａが形成されている。
【００３３】
そして、縦枠１１の下方に位置するフーチング部２９ａには図７(ｂ)に示したように支柱取付部材３１が設けられている。この支柱取付部材３１は、フーチング部２９ａ上に配設された支持プレート３１ａと、支持プレート３１ａと一体に設けられ且つ下端部がフーチング部２９ａに埋設された固定ボルト３１ｂを有する。この支持プレート３１ａ上には、上下に延びるゲート枠取付用の支柱３２の下端部が配設されている。この支柱３２の下端部には支持プレート３１ａ上に当接する取付フランジ３２ｆが一体に設けられている。この取付フランジ３２ｆは、固定ボルト３１ｂ及びナット３１ｃで支持プレート３１ａ上に固定されている。
また、図８(ｂ)，図９(ｂ)に示したように、縦枠１２，１３の下方に位置するゲート支持基礎２９のフーチング部２９ａにも支柱取付部材３１がそれぞれ設けられている。この各支柱取付部材３１の支持プレート３１ａ上にも、支柱３２と同じ構造の支柱３３，３４の下端部が図８(ｂ)，図９(ｂ)に示したようにそれぞれ配設されている。この支柱３３，３４の下端部にも取付フランジ３３ｆ，３４ｆが一体に設けられている。この各取付フランジ３３ｆ，３４ｆも図８(ｂ)，図９(ｂ)に示したように支持プレート３１ａ上に固定ボルト３１ｂおよびナット３１ｃで固定されている。
【００３４】
また、支柱３２〜３４は図５に示したようにポーチ基礎９ａを貫通して上方に突出している。この支柱３２〜３４のポーチ基礎９ａから突出する部分の長さは、第１〜第３の縦枠１１〜１３の長さの半分程度に形成されている。そして、この第１〜第３の縦枠１１〜１３内には、支柱３２〜３４のポーチ基礎９ａから突出する部分がそれぞれ挿入されている。
【００３５】
支柱３２と第１の縦枠１１との間には、図７（ａ），図７（ｂ）に示したように一対一組のスペーサ３６，３６が支柱３２を挟むように介装されている。この一対一組のスペーサ３６，３６は、図５に示したように一対一組のスペーサ３６，３６が上下に間隔をおいて複数（本実施例では３組）設けられている。
【００３６】
この各スペーサ３６は、支柱３２に溶接等により一体に設けられている。しかも、スペーサ３６は、図７（ａ），図７（ｂ）に示したように第１の縦枠１１にネジ（固定手段）３７で固定されている。尚、同様なスペーサ３６は、図８（ａ），図８（ｂ）に示したように支柱３３と第２の縦枠１２との間、及び、図９（ａ），図９（ｂ）に示したように支柱３４と第３の縦枠１３との間にも介装されている。
【００３７】
更に、各支柱３２〜３４の下端部には図７（ｂ），図８（ｂ），図９（ｂ）に示したように配線孔３２ａ，３３ａ，３４ａが形成されている。この支柱３２の配線孔３２ａは、本実施例では配線に使用されないので、必ずしも設ける必要がない。しかし、支柱３３，３４との部品の共通化を図る上で、支柱３２に配線孔３２ａを設けたものを用いている。
【００３８】
また、図５の第２の縦枠１２内の制御用ケーブル２５は、図８（ｂ）に示したように支柱３３内および配線孔３３ａを介して支柱３３の下端部内から外側に引き出され、地中３０に埋設されている。
【００３９】
また、図５の第３の縦枠１３内の制御用ケーブル２８は、図９（ｂ）に示したように支柱３４内および配線孔３４ａを介して支柱３４の下端部内から外側に引き出され、地中30に埋設されている。
この地中に埋設された制御用ケーブル２５，２８は、建物１の図示を省略した位置に取り付けられた図５の制御部３９に接続されている。この制御部３９からは、各住戸への通信ケーブル（図示せず）が配線されている。
【００４０】
このような制御用ケーブル２５，２８の制御部３９への配線は、建物１の敷地の地面に基礎用溝（図示せず）を掘って、この基礎用溝内にゲート支持基礎２９及び支柱３２〜３４を設ける際に行う。この際、制御用ケーブル２５，２８は、支柱３３，３４の上端から引き出しておく。そして、この配線後に、基礎用溝（図示せず）を埋め戻して、ゲート支持基礎２９及び支柱３２〜３４の下端部を地中３０に埋設し、この埋設した地面上に砕石層３０ａおよびコンクリート製のポーチ基礎９ａを順に形成する。
【００４１】
こ後、支柱３２〜３４のポーチ基礎９ａから突出する部分に第１〜第３の縦枠１１〜１３を嵌合する前に、支柱３３，３４から引き出しておいた制御用ケーブル２５，２８を第２，第３の縦枠１２，１３内に配線する。
【００４２】
次に、スペーサ３６が設けられた各支柱３２〜３４のポーチ基礎９ａから突出する部分に第１〜第３の縦枠１１〜１３を嵌合する。そして、各支柱３２〜３４のスペーサ３６を第１〜第３の縦枠１１〜１３にネジ３７でそれぞれ固定することにより、第１〜第３の縦枠１１〜１３を支柱３２〜３４にそれぞれ固定する。
【００４３】
一方、ポーチ基礎９ａを形成した後、ポーチ基礎９ａ上の両側部に庇支持壁１０，１０を設けて、庇支持壁１０，１０上にポーチ庇９を取り付ける。
【００４４】
（侵入防止囲い部材６，７）
この侵入防止囲い部材６，７には、格子部材が用いられている。また、侵入防止囲い部材６は図１（ａ），図４に示したように一方の庇支持壁１０と建物１の妻側外壁面１ａとの間に設置され、侵入防止囲い部材７は図２，図４に示したように他方の庇支持壁１０と侵入防止囲い部材８と間に設置されている。
【００４５】
この侵入防止囲い部材６，７はポーチ庇９の高さよりも低く設けられている。これにより、図１（ｂ）に示したように侵入防止囲い部材６の上端とポーチ庇９の一側縁部との間には採光隙間Ｓ１が設けられ、図２に示したように侵入防止囲い部材７の上端とポーチ庇９の側縁部との間には採光隙間Ｓ２が設けられている。
【００４６】
尚、侵入防止囲い部材６，７には格子ユニットが用いられているので、侵入防止囲い部材６，７は採光隙間を有する。しかし、侵入防止囲い部材６，７は、格子間隔が狭い場合、十分な採光をしにくい。このため、侵入防止囲い部材６，７とポーチ庇９の側縁部との間に採光隙間Ｓ１，Ｓ２を設けることで、ゲートユニット５と建物１との間への採光量を増やすことができる。また、侵入防止囲い部材６，７を壁材等から形成した場合、侵入防止囲い部材６，７の部分は遮光されるので、侵入防止囲い部材６，７とポーチ庇９の側縁部との間の隙間が実質的な採光隙間Ｓ１，Ｓ２となる。
【００４７】
また、ゲートユニット５とポーチ庇９との間には、図１（ａ）に示したように採光隙間Ｓ３が設けられている。
【００４８】
（侵入防止囲い部材８）
この侵入防止囲い部材８には、図２に示したように、廊下２の外側縁に沿って配設された格子ユニットが用いられている。この侵入防止囲い部材８は建物１の桁側外壁面１ｂ側に設けた廊下庇２ａの近傍の部分まで延設されている。しかも、この侵入防止囲い部材８と廊下庇２ａとの間には採光隙間Ｓ４が設けられている。この採光隙間Ｓ４は、侵入防止囲い部材８の格子間隔が狭い場合や、侵入防止囲い部材８に格子以外の遮光性のある壁材又は透孔性の低い壁材を用いたときに、廊下２が暗くなるのを防止できる。
【００４９】
また、この侵入防止囲い部材８としては、図４，図１０に示したように、複数の格子ユニット４０を用いることができる。この図４，図１０（ａ），図１０（ｂ）に示した実施例は、２つの格子ユニット４０，４０から侵入防止囲い部材８を構成した例を示している。
【００５０】
格子ユニット４０，４０は、図１０（ａ），図１０（ｂ）に示したように、互いに隣接する端部に配設されたユニット支持用の縦格子部材４０ａ，４０ａを有する。また、格子ユニット４０は、縦格子部材４０ａとは別にユニット支持用の複数の長い支持用の縦格子部材４０ｂを有すると共に、縦格子部材４０ａ，４０ｂおよび縦格子部材４０ｂ，４０ｂ間に設けられた短い複数の縦格子部材４０ｃを有する。更に、格子ユニット４０は、複数の縦格子部材４０ａ，４０ｂおよび縦格子部材４０ａ，４０ｂを等ピッチに固定している横格子部材４０ｄ，４０ｄを有する。
【００５１】
そして、格子ユニット４０，４０を設置するには、廊下２の外側縁に沿って敷地の地中に複数の格子基礎４１を設けると共に、複数の格子基礎４１の中央に位置させて共通格子基礎４２を設ける。
【００５２】
この際、格子ユニット４０，４０の縦格子部材４０ａ，４０ａの下端部を共通格子基礎４２に固定すると共に、他の縦格子部材４０ｂの下端部を複数の格子基礎４１に固定する。
【００５３】
［実施例２］
図１１は、この発明に係るセキュリテイ装置付建物の実施例２を示す説明図である。この実施例２の侵入防止囲い１Ｅａは、実施例１の庇支持壁１０，１０の配置や、実施例１のゲートユニット５の構成を一部変えたゲートユニット５ａを設けた例を示したものである。このゲートユニット５ａは、正面側から見た第１の縦枠１１と第２の縦枠１２の位置を実施例１のゲートユニット５とは逆に配置している。また、右側にゲート扉１６を配置し、左側に門袖パネル１５を配置している。
【００５４】
この図１１において庇支持壁１０，１０は、壁面がポーチ基礎９ａ（図１（ａ）のポーチ庇９の軒先先端側）に沿うように間隔をおいて配置されている。しかも、庇支持壁１０，１０は、ポーチ基礎９ａの両側下部に位置するように配置されている。そして、庇支持壁１０，１０間には侵入防止囲い部材５０が設けられている。
【００５５】
また、ゲートユニット５は、建物１の妻側外壁面１ａとこれに対向する庇支持壁１０との間に、妻側外壁面１ａと垂直に設けられている。尚、他の構成は、実施例１と同じであるので、実施例１に付した符号を付してその説明を省略する。
【００５６】
［実施例３］
図１２〜図１４は、この発明に係るセキュリテイ装置付建物の実施例３を示したものである。この実施例３の侵入防止囲い１Ｅｂでは、図１２に示したように、建物１の側方に下側のステージ４３から上階の踊り場ユニット４４への階段４５が内階段として設けられている。この踊り場ユニット４４の下面側がステージ４３の軒先天井となっている。
【００５７】
また、ステージ４３の正面側には、ステップ４６が設けられていると共に、このステップ４６に対応してゲートユニット５ｂが設けられている。このゲートユニット５ｂは、実施例１のゲートユニット５の上枠１４に突出量の小さいゲート庇４７を図１2に示したように設けた以外は、実施例１のゲートユニット５と構成が同じである。尚、図１２のステップ４６は図１３では図示を省略している。
【００５８】
更に、ゲートユニット５ｂの両側には、図１２〜図１４に示したように、格子状の幅の短い侵入防止囲い部材４８，４８が配置されている。尚、この実施例３では、ゲートユニット５ｂおよび両側の侵入防止囲い部材４８，４８の部分のみを図示しているが、侵入防止囲い部材４８，４８両側には侵入防止囲い部材（図示せず）が設けられる。
【００５９】
この侵入防止囲い部材４８と踊り場ユニット４４との間には採光隙間Ｓ５が設けられている。
【００６０】
＜補足説明１＞
以上説明したように、この発明の実施の形態のセキュリテイ装置付建物は  建物１の外側に設置されて前記建物１の外側に共用空間（廊下２，エントランス５Ａ）を形成する侵入防止囲い（１Ｅ，１Ｅａ，１Ｅｂ）を備えている。前記侵入防止囲い（１Ｅ，１Ｅａ，１Ｅｂ）は前記建物１との間にエントランス５Ａを形成するセキュリテイゲートユニット（ゲートユニット５，５ａ，５ｂ）を有する。また、前記セキュリテイゲートユニット（ゲートユニット５，５ａ，５ｂ）、枠構造体５Ｆに並設された電子錠１９付きのゲート扉１６および門袖パネル１５と、前記電子錠１９の解錠操作をさせる開閉指令器２６を有する。
【００６１】
この構成によれば、既設の建物１の構造を変更せずに、建物のセキュリテイを確保できる。
【００６２】
＜補足説明２＞
また、この発明の実施の形態のセキュリテイ装置付建物において、前記枠構造体５Ｆは下端が開放し且つ間隔をおいて設けられた複数の縦枠および前記複数の縦枠（１１〜１３）の上端部を結合する上枠１４を備えると共に、前記縦枠（１１〜１３）の下方に位置させてゲート支持基礎（２９）を前記建物１の敷地に埋設し、下端部が前記ゲート支持基礎（２９）に一体に設けられた支柱（３２〜３４）を前記敷地上に突出させ、該支柱（３２〜３４）の前記敷地からの突出部分を前記縦枠（１１〜１３）内に嵌着固定することにより、前記セキュリテイゲートユニット（ゲートユニット５，５ａ，５ｂ）を前記建物１の外側に設置している。
【００６３】
この構成によれば、セキュリテイゲートユニット（ゲートユニット５，５ａ，５ｂ）を建物１の構造を変更せずに建物１の敷地に容易に設置できる。
【００６４】
＜補足説明３＞
また、この発明の実施の形態のセキュリテイ装置付建物において、前記セキュリテイゲートユニット（ゲートユニット５）は、玄関庇（ポーチ庇９、ゲート庇４７）の下部に設けられている。
【００６５】
＜補足説明４＞
また、この発明の実施の形態のセキュリテイ装置付建物において、前記玄関庇（ポーチ庇９）の両側部には、前記庇支持壁（１０，１０）が袖壁としてそれぞれ設けられている。しかも、前記セキュリテイゲートユニット（ゲートユニット５）は、前記庇支持壁（１０，１０）の前記建物１側の端部間を塞ぐように配置されている。
【００６６】
この構成によれば、庇支持壁（１０，１０）がセキュリテイゲートユニット（ゲートユニット５，５ａ）に設けられていることを明瞭にすると共に、見栄えを向上させる。
【００６７】
＜補足説明５＞
また、この発明の実施の形態のセキュリテイ装置付建物において、前記セキュリテイゲートユニット（５）と前記玄関庇（ポーチ庇９）には、採光隙間Ｓ３が設けられている。この構成によれば、セキュリテイゲートユニット（ゲートユニット５）を設けても、玄関庇（ポーチ庇９）の下のエントランスが暗くなるのを未然に防止できる。
【００６８】
＜補足説明６＞
また、この発明の実施の形態のセキュリテイ装置付建物において、前記セキュリテイゲートユニット（ゲートユニット５）は前記建物１の外壁面（１ａ）と間隔をおいて平行に設けられていると共に、前記侵入防止囲い（１Ｅ）の前記エントランス５Ａ側に用いる格子ユニット（侵入防止囲い部材６）が前記セキュリテイゲートユニット（ゲートユニット５）と建物１との間を塞ぐように設けられている。
【００６９】
この構成によれば、側方が開放している玄関庇（玄関ポーチ４のポーチ庇９）の下にセキュリテイゲートユニット（ゲートユニット５）を設けても、セキュリテイゲートユニット（ゲートユニット５）より内側のエントランスへの侵入を簡単な構成で防止できる。
【００７０】
＜補足説明７＞
また、この発明の実施の形態のセキュリテイ装置付建物において、前記格子ユニット（侵入防止囲い部材６，７）と前記玄関庇（ポーチ庇９）には、採光隙間Ｓ１，Ｓ２を有する。
【００７１】
この構成によれば、前記格子（侵入防止囲い部材６，７）の格子間隔が狭く、格子（侵入防止囲い部材６，７）から十分な光を採光できない場合であっても、格子（侵入防止囲い部材６，７）と前記玄関庇（ポーチ庇９）の採光隙間Ｓ１，Ｓ２から採光できるので、エントランスが暗くなるのを防止できる。
【００７２】
＜補足説明８＞
また、この発明の実施の形態のセキュリテイ装置付建物において、前記建物１と前記侵入防止囲い１Ｅとの間には前記建物１の複数の住戸（Ａ〜Ｃ）の玄関ドア（Ｄａ〜Ｄｃ）に臨み且つ前記エントランス５Ａに連なる廊下２が前記共用空間として設けられている
【００７３】
この構成によれば、建物が集合住宅であって、この集合住宅の複数の住戸の玄関が共用の廊下２に面している場合、複数の住戸へのセキュリテイを一つのセキュリテイゲートユニット（ゲートユニット５）で確保できる。
【００７４】
＜補足説明９＞
また、この発明の実施の形態のセキュリテイ装置付建物において、前記侵入防止囲い１Ｅの前記廊下２側に用いる格子ユニット（侵入防止囲い部材８）が前記廊下２の外側縁に沿って設けられている。
【００７５】
この構成によれば、格子ユニット（侵入防止囲い部材８）を設けているので、廊下２側からの侵入防止を簡単な構成で図ることができる。
【００７６】
＜補足説明１０＞
また、この発明の実施の形態のセキュリテイ装置付建物において、前記廊下２の上には庇（廊下庇２ａ）が設けられ、前記廊下２の庇（廊下庇２ａ）と格子ユニット（侵入防止囲い部材８）との間には採光隙間S4が設けられている。
【００７７】
この構成によれば、廊下２に庇（廊下庇２ａ）を設けているので、廊下２側において雨に濡れるのを防止できる。しかも、格子（侵入防止囲い部材８）から十分な光を採光できない場合であっても、格子（侵入防止囲い部材８）と前記庇（廊下庇２ａ）の採光隙間Ｓ４から採光できるので、廊下２が暗くなるのを防止できる。
【００７８】
（その他）
上述したセキュリテイ装置（侵入防止囲い１Ｅ、Ｅａ、Ｅｂ）は、ユニット式の集合住宅（建物）やユニット式以外の建物の構造に関係なく、自由にオートロックシステムがある防犯性能に優れたエントランス、共用部を設けることができる。例えば、以下の（１）〜（１５）に説明するように、建物１のセキュリテイを図ることができる。
【００７９】
（１）．片廊下型の屋外廊下（廊下２）を付けた集合住宅にエントランスを設ける。
（２）．エントランスとして明確に認識できるようにポーチ（玄関ポーチ４）を設置し、集合住宅である建物１への動線を絞る。
（３）．このポーチ（玄関ポーチ４）はセキュリティポーチということができる。
（４）．集合住宅である建物１の階段４５は内階段となり集合住宅の共用部分内の外部動線を絞っている。
（５）．１階の廊下２には居住者以外の人間が侵入できないように縦格子（侵入防止囲い部材６，７，８）を配置している。
【００８０】
（６）．格子（侵入防止囲い部材６，７，８）は建物１の構造に影響を与えないように自立式となっている。
（７）．この格子（侵入防止囲い部材６，７，８）はセキュリティ格子ということが出来る。
（８）．エントランスのポーチ（玄関ポーチ４）の下にはオートロック式の門扉（ゲート扉１６）を取り付けている。
（９）．門扉（ゲート扉１６）も建物１の構造に影響を与えないように自立式となっている。
（１０）．このオートロック式門扉（ゲート扉１６）はセキュリティゲートということができる。
【００８１】
（１１）．このセキュリティゲートであるオートロック式門扉（ゲート扉１６）はポーチ（玄関ポーチ４）の下以外でも設置可能、共用部の一部に取り付けることができる。
（１２）．オートロック式門扉（ゲート扉１６）や格子（侵入防止囲い部材６，７，８）の高さを２ｍ以上とし、容易に居住者以外の人間がよじ登れないようにする。尚、２ｍとは品格法上の防犯対策を行わなければいけない開口部の最高高さである。
（１３）．オートロック式の門扉は居住者又は管理者のみ解錠できる。
（１４）．建物１の外壁（１ａ，１ｂ）や共用部（廊下２）を囲む格子（侵入防止囲い部材６，７，８）とゲート（ゲートユニット５）との間の隙間は１１０ｍｍ以内とし、外部からの不審者の侵入を防ぐようになっている。尚、１１０ｍｍは落下防止の基準の中の隙間寸法に（落下できない→通り抜けられない→侵入できない）したものである。
（１５）．建物１の敷地条件に合わせて、建物１の構成を変更せずに（侵入防止囲い部材６，７，８）とゲート（ゲートユニット５）のみでセキュリテイに対応できる。
【００８２】
・従来のユニット式の集合住宅の片廊下タイプに対してオートロックシステムの付帯したエントランスを容易に取付ることができる
【００８３】
・自立式の構造の為、自由に配置できる（敷地対応力の強化）。
【００８４】
・設置個所に対して複数のバリエーションを持った部材を設定せずに済む（最少部品で最大バリエーションが得られる）。
【００８５】
既存のユニット式集合住宅の構成を大きく変えることなく不足している防犯性能、建物のエントランス感を補填することができる。
【００８６】
居住者に、生活の安心・安全、自分の住んでいる建物の顔を従来のユニット住宅の性能を維持しながら手に入れることを可能とできる。
【００８７】
また、部品点数を最少にしながら様々な敷地に対応できる
【符号の説明】
【００８８】
１  建物
１Ｅ  侵入防止囲い
１Ｅａ  侵入防止囲い
１Ｅｂ  侵入防止囲い
２  廊下（共用空間）
２ａ  廊下庇（庇）
３  セキュリテイゲートユニット（ゲートユニット）
４  玄関ポーチ
５  ゲートユニット（セキュリテイゲートユニット）
５ａ  ゲートユニット（セキュリテイゲートユニット）
５ｂ  ゲートユニット（セキュリテイゲートユニット）
５Ａ  エントランス（共用空間）
６  侵入防止囲い部材
７  侵入防止囲い部材
８  侵入防止囲い部材
８′  侵入防止囲い部材
９  ポーチ庇（玄関庇）
１０  庇支持壁（袖壁）
１１  第１の縦枠（縦枠）
１２  第２の縦枠（縦枠）
１３  第３の縦枠（縦枠）
１４  上枠
１６  ゲート扉（扉）
１５  門袖パネル
１９  電子錠
２６  開閉指令器
２９  ゲート支持基礎
３２〜３４  支柱
４７  ゲート庇（玄関庇）
４８  侵入防止囲い部材
５０  侵入防止囲い部材
Ｓ１〜Ｓ５  採光隙間
【図１】
2014163171.tif 000003
【図２】
2014163171.tif 000004
【図３】
2014163171.tif 000005
【図４】
2014163171.tif 000006
【図５】
2014163171.tif 000007
【図６】
2014163171.tif 000008
【図７】
2014163171.tif 000009
【図８】
2014163171.tif 000010
【図９】
2014163171.tif 000011
【図１０】
2014163171.tif 000012
【図１１】
2014163171.tif 000013
【図１２】
2014163171.tif 000014
【図１３】
2014163171.tif 000015
【図１４】
2014163171.tif 000016